(57)【要約】【課題】  二重壁の最外層を構成する第２の外面材の壁下端部の裏面に簡易に塗料を塗布すること。【解決手段】  第１の外面材３５の外側に胴縁３６を介して第２の外面材３７を取着する二重壁の製造方法において、第１の外面材３５の胴縁３６が固定された壁下端部の一端側から他端側に渡る全域に、該胴縁３６の上面に貼着されるテープ４０を添設する工程と、上記テープ４０の上面に塗料４１を塗布する工程と、第２の外面材３７の壁下端部で上記テープ４０を挟みつつ、第２の外面材３７を第１の外面材３５の外側に取着する工程とを有するもの。【選択図】  図７
2006089952.tif 000002
【特許請求の範囲】
【請求項１】
第１の外面材の外側に胴縁を介して第２の外面材を取着する二重壁の製造方法において
、
第１の外面材の胴縁が固定された壁下端部の一端側から他端側に渡る全域に、該胴縁の
上面に貼着されるテープを添設する工程と、
上記テープの上面に塗料を塗布する工程と、
第２の外面材の壁下端部で上記テープを挟みつつ、第２の外面材を第１の外面材の外側
に取着する工程とを有することを特徴とする二重壁の製造方法。
【請求項２】
前記第１の外面材の壁下端部の一端側から他端側に渡る範囲に複数の胴縁が固定され、
相隣る胴縁の間に隙間を設けてなる請求項１に記載の二重壁の製造方法。
【発明の詳細な説明】
【技術分野】
【０００１】
本発明は二重壁の製造方法に関する。
【背景技術】
【０００２】
木質ユニット建物の壁パネルとして、特許文献１に記載の如く、上枠、下枠及び縦枠を
組んで形成した壁枠組の室内側に内面材を取着するとともに、該壁枠組の室外側に第１の
外面材を取着し、第１の外面材の外側に胴縁を介して第２の外面材を取着してなるものが
ある。この壁パネルでは、第１の外面材と第２の外面材により二重壁を構成し、この二重
壁の間に空気流通路を形成し、建物の通気性能を向上可能にする。
【特許文献１】特開2004-68496号公報
【発明の開示】
【発明が解決しようとする課題】
【０００３】
二重壁を備える壁パネルでは、第１と第２の外面材の壁下端部、特に最外層を構成する
第２の外面材の壁下端部を、雨水等から保護するため、それら外面材の壁下端部に塗料を
塗布する必要がある。
【０００４】
しかしながら、従来技術では、第２の外面材の壁下端部の裏面（第１の外面材に相対す
る面）に塗料を塗布することに困難がある。
【０００５】
即ち、第２の外面材を第１の外面材の外側に取着した段階で、第２の外面材の壁下端部
の裏面に塗料を塗布する場合には、第２の外面材の壁下端部の裏面が第１の外面材により
覆われており、その裏面に塗装ローラ等で塗料を塗布作業することに困難がある。
【０００６】
また、第２の外面材を第１の外面材の外側に取着する前段階で事前に、第２の外面材の
壁下端部の裏面に塗料を塗布した場合には、第２の外面材を運搬する等の取扱い容易化の
ために、塗料が乾燥するまでの養生期間が長くなり、生産性が悪い。
【０００７】
本発明の課題は、二重壁の最外層を構成する第２の外面材の壁下端部の裏面に簡易に塗
料を塗布することにある。
【課題を解決するための手段】
【０００８】
請求項１の発明は、第１の外面材の外側に胴縁を介して第２の外面材を取着する二重壁
の製造方法において、第１の外面材の胴縁が固定された壁下端部の一端側から他端側に渡
る全域に、該胴縁の上面に貼着されるテープを添設する工程と、上記テープの上面に塗料
を塗布する工程と、第２の外面材の壁下端部で上記テープを挟みつつ、第２の外面材を第
１の外面材の外側に取着する工程とを有するようにしたものである。
【０００９】
請求項２の発明は、請求項１の発明において更に、前記第１の外面材の壁下端部の一端
側から他端側に渡る範囲に複数の胴縁が固定され、相隣る胴縁の間に隙間を設けてなるよ
うにしたものである。
【発明の効果】
【００１０】
（請求項１）
(a)第１の外面材の胴縁の上面に貼着されて第１の外面材の壁下端部の一端側から他端
側に渡って添設されているテープの上面に塗料が塗布されている。従って、第２の外面材
を第１の外面材の外側に取着すると、第２の外面材の壁下端部の裏面がテープに押し付け
られ、テープの上面の塗料が第２の外面材の壁下端部の裏面に転写される。これにより、
第２の外面材を第１の外面材の外側に取着する段階で、第２の外面材の壁下端部の裏面に
簡易に塗料を塗布できる。
【００１１】
（請求項２）
(b)第１の外面材の胴縁と胴縁の間に空気流通路となる隙間がある場合にも、テープは
その隙間の空間上部に延在せしめられており、この空間に対応することとなる第２の外面
材の壁下端部の裏面にも塗料を塗布できる。
【発明を実施するための最良の形態】
【００１２】
図１は木質ユニット建物を示す斜視図、図２は図１のII−II線に沿う壁構造を示す断面
図、図３は壁パネルを示し、（Ａ）は全体斜視図、（Ｂ）は下部断面図、図４は第１の外
面材へのテープ添設工程を示し、（Ａ）は全体斜視図、（Ｂ）は要部斜視図、図５は第１
の外面材へのテープ添設工程の変形例を示す全体斜視図、図６はテープへの塗料塗布工程
を示す要部斜視図、図７は第２の外面材の取着工程を示す全体斜視図である。
【実施例】
【００１３】
図１の木質ユニット建物１は、複数の建物ユニット１０を左右上下に隣接設置して構築
されたものである。
【００１４】
建物ユニット１０は、図２、図３に示す如く、床パネル２０の外縁に壁パネル３０を立
設して構成される。
【００１５】
床パネル２０は、図２に示す如く、床根太２１からなる床枠組２０Ａの下面周囲につな
ぎ材２２を固定し、床枠組２０Ａの上面に床面材２３を設けて構成される。
【００１６】
壁パネル３０は、図２、図３に示す如く、上枠３１、下枠３２及び縦枠３３を組んだ壁
枠組３０Ａの室内側に内面材３４を取着するとともに、該壁枠組３０Ａの室外側に第１の
外面材３５を取着し、第１の外面材３５の外側に胴縁３６を介して第２の外面材３７を取
着して構成される。壁パネル３０は、第１の外面材３５の巾方向の一端側から他端側に渡
る範囲に複数の胴縁３６を固定し、相隣る胴縁３６、３６の間に隙間３６Ａを設ける。第
１の外面材３５と第２の外面材３７は二重壁を構成する。
【００１７】
壁パネル３０は、内面材３４と第１の外面材３５の間の壁内に断熱材３８を設け、第１
の外面材３５と断熱材３８の間に上下階に連通する第１の空気流通路３９Ａを形成する。
また、壁パネル３０は、第１の外面材３５と第２の外面材３７の間の二重壁内で前述の隙
間３６Ａを経由して上下階に連通する第２の空気流通路３９Ｂを形成する。尚、壁パネル
３０において、相隣る胴縁３６、３６の間に隙間３６Ａが設けられない場合、胴縁３６に
穿設される通孔経由で第２の空気流通路３９Ｂを形成することもできる。これにより、壁
パネル３０は、断熱性能と壁内通気性能を確保できる。
【００１８】
しかるに、壁パネル３０は、二重壁の最外層を構成する第２の外面材３７の壁下端部（
第２の外面材３７の上下方向の下端部）を雨水等から保護するため、以下の如くに製造さ
れる。
【００１９】
(1)第１の外面材の３５の胴縁３６が固定された壁下端部の巾方向の一端側から他端側
に渡る全域に、該胴縁３６の上面に貼着される片面粘着性又は両面粘着性をもつプラスチ
ックシート等のテープ４０を添設する（図４、図５）。図４は第１の外面材３５が壁下端
部の一端側から他端側に渡って連続している場合を示し、図５は第１の外面材３５が壁下
端部の一端側から他端側に渡る範囲の一部に欠損部分がある場合を示す。
【００２０】
(2)上述(1)のテープ４０の上面に、塗装ローラ５０を用いて塗料４１を塗布する（図６
）。塗料は、例えば藤倉化成（株）の目止め剤SF10コートであり、木片セメント板等から
なる第２の外面材３７への雨水の浸透を阻止可能にする。
【００２１】
(3)第２の外面材３７の壁下端部で上述(2)の塗料４１が塗布されたテープ４０を挟みつ
つ、第２の外面材３７を第１の外面材３５の外側に釘打ち等して取着する（図７）。これ
により、テープ４０の上面の塗料４１が第２の外面材３７の壁下端部の裏面に転写される
。
【００２２】
尚、第２の外面材３７の壁下端部の木口、表面にも別途塗料を塗布することができる。
また、第１の外面材３５の壁下端部の表裏面、木口にも別途塗料を塗布することができる
。
【００２３】
本実施例によれば以下の作用効果を奏する。
(a)第１の外面材３５の胴縁３６の上面に貼着されて第１の外面材３５の壁下端部の一
端側から他端側に渡って添設されているテープ４０の上面に塗料４１が塗布されている。
従って、第２の外面材３７を第１の外面材３５の外側に取着すると、第２の外面材３７の
壁下端部の裏面がテープ４０に押し付けられ、テープ４０の上面の塗料４１が第２の外面
材３７の壁下端部の裏面に転写される。これにより、第２の外面材３７を第１の外面材３
５の外側に取着する段階で、第２の外面材３７の壁下端部の裏面に簡易に塗料４１を塗布
できる。
【００２４】
(b)第１の外面材３５の胴縁３６と胴縁３６の間に空気流通路３９Ｂとなる隙間３６Ａ
がある場合にも、テープ４０はその隙間３６Ａの空間上部に延在せしめられており、この
空間に対応することとなる第２の外面材３７の壁下端部の裏面にも塗料４１を塗布できる
。
【００２５】
以上、本発明の実施例を図面により詳述したが、本発明の具体的な構成はこの実施例に
限られるものではなく、本発明の要旨を逸脱しない範囲の設計の変更等があっても本発明
に含まれる。
【図面の簡単な説明】
【００２６】
【図１】図１は木質ユニット建物を示す斜視図である。
【図２】図２は図１のII−II線に沿う壁構造を示す断面図である。
【図３】図３は壁パネルを示し、（Ａ）は全体斜視図、（Ｂ）は下部断面図である。
【図４】図４は第１の外面材へのテープ添設工程を示し、（Ａ）は全体斜視図、（Ｂ）は要部斜視図である。
【図５】図５は第１の外面材へのテープ添設工程の変形例を示す全体斜視図である。
【図６】図６はテープへの塗料塗布工程を示す要部斜視図である。
【図７】図７は第２の外面材の取着工程を示す全体斜視図である。
【符号の説明】
【００２７】
３５  第１の外面材
３６  胴縁
３６Ａ  隙間
３７  第２の外面材
４０  テープ
４１  塗料
【図１】
2006089952.tif 000003
【図２】
2006089952.tif 000004
【図３】
2006089952.tif 000005
【図４】
2006089952.tif 000006
【図５】
2006089952.tif 000007
【図６】
2006089952.tif 000008
【図７】
2006089952.tif 000009